(57)【要約】  内側にカスケード式マルチポケットを有するエンベロープ又はバッグの形状をした、内部に熱交換を組み込んだフレキシブル容器（１）。加熱又は冷却する消費材及び／又は必需品の投与器、持ち運び可能で、使い捨て式のディスペンサであり、反応液（３１）のバッグ（３）の圧力で破れることで発生する吸熱又は発熱反応を利用する。この特性は、反応チャンバ（２）が消費材（６）に完全に埋まることであり、化学反応によって生じる圧力を制御するバルブ（１０）が設けられており、反応バッグ（３、４）内部には、「バッグ−イン−バッグ」あるいは「バッグ−イン−バッグ−イン−バッグ」の概念が生じる。【選択図】図２
2013540662.tif 000002
【特許請求の範囲】
【請求項１】
セルフサービス消費材用の自動加熱または自動冷却内部熱交換を内蔵した、マルチチャンバ型エンベロープまたはバッグ（１’）、または多数のセルを有するマルチセル、またはポケットの形状をしたフレキシブル断熱容器（１）であって、試薬と化学反応物質を保持する手段と、メモリ付抵抗付シーリング手段を設けた前記保持する手段を分離する手段と、調整品及び消費材からの反応物質を分離する手段または分離板を具える断熱容器において、
制御されたブレークダウンを有するシール壁によって変形可能であり、反応液（３’）を保持する第１のプルーフ容器またはエンベロープまたはバッグ（３）と、前記反応液（３’）と接触できるようにした化学反応発熱−吸熱物質（４’）を保持する第２の容器またはエンベロープまたはバッグ（４）を内部に設けた、エンベロープまたはバッグ形状の反応チャンバ（２）を具え、当該シールした反応チャンバ（２）が、前記容器（１）の消費材（６）を保持する前記エンベロープ（１’）内に配置されていることを特徴とする、フレキシブル断熱容器（図１、１ａ、２、２ａ、４ａ、４ｂ、４ｃ、５ａ、５ｂ、５ｃ、６ａ、６ｂ、６ｃ参照）。
【請求項２】
請求項１に記載の、マルチチャンバ型エンベロープまたはバッグ（１’）、または多数のセルを有するマルチセル、またはポケットの形状をしたフレキシブル断熱容器（１）において、前記化学反応発熱−吸熱物質を保持する第２の容器またはエンベロープ（４）が、微小穿孔した、または、反応液を透過する、あるいは液体フローが可能な材料でできている、反応バッグ（４”）であることを特徴とする、フレキシブル断熱容器（図１、２参照）。
【請求項３】
請求項１又は２に記載の、マルチチャンバ型エンベロープまたはバッグ（１’）、または多数のセルを有するマルチセル、またはポケットの形状をしたフレキシブル断熱容器（１）において、前記反応液（３’）の容器またはエンベロープ（３）が、内部に前記化学物質（４’）を保持する内部容器またはバッグであることを特徴とする、フレキシブル断熱容器（図２、２ａ参照）。
【請求項４】
請求項１に記載の、マルチチャンバ型エンベロープまたはバッグ（１’）、または多数のセルを有するマルチセル、またはポケットの形状をしたフレキシブル断熱容器（１）において、前記反応チャンバ（２）が、サポートゾーンスプラウト出力ノズル（１１）の上にかかったブリッジ（１２）であることを特徴とする、フレキシブル断熱容器（図３参照）。
【請求項５】
請求項１乃至３のいずれか１項に記載の、マルチチャンバ型エンベロープまたはバッグ（１’）、または多数のセルを有するマルチセル、またはポケットの形状をしたフレキシブル断熱容器（１）において、前記反応チャンバ（２）に、安全デバイスまたは安全手段（１０）が設けられていることを特徴とする、フレキシブル断熱容器（図１、１ａ、２、３参照）。
【請求項６】
請求項１に記載の、マルチチャンバ型エンベロープまたはバッグ（１’）、または多数のセルを有するマルチセル、またはポケットの形状をしたフレキシブル断熱容器（１）において、前記反応チャンバ（２）に安全デバイスまたは安全手段（１０）が設けられており、弱くなった接着部分（１５）で前記反応チャンバ（２）と連通し、過圧ダクト（１３、１４）に連結されている拡張チャンバ（１６）を具えることを特徴とする、フレキシブル断熱容器（図２ａ参照）。
【請求項７】
請求項１に記載の、セルフサービス消費材用の自動加熱または自動冷却内部熱交換を内蔵した、マルチチャンバ型エンベロープまたはバッグ（１’）、または多数のセルを有するマルチセル、またはポケットの形状をしたフレキシブル断熱容器（１）において、前記反応チャンバ（２）が、前記消費材（６）を保持しているエンベロープ（１’）から特に形成したポケットまたはバッグ（８）に挿入されており、当該ポケット（８）が前記バッグまたはエンベロープ（１’）の側壁（１”、１”’）の終端エッジ（７、７’）を連結することによって正確に作られており、前記反応チャンバ（２）を、終端エッジ（７、７’）の密封シール連結（７”）内に互いに位置する、あるいは密封シール（９）によって閉じるように、前記バッグまたはポケット（８）を形成し、試薬（４’）の容器またはバッグ（４）の内部または外部に反応液（３’）を保持しているバッグ容器（３）を破るときの圧縮ストレスによって反応が開始することを特徴とする、フレキシブル断熱容器（図４ａ、４ｂ、４ｃ参照）。
【請求項８】
請求項７に記載の、マルチチャンバ型エンベロープまたはバッグ（１’）、または多数のセルを有するマルチセル、またはポケットの形状をしたフレキシブル断熱容器（１）において、外側バッグ（１’）が、単一の折りたたんだシート（１’）から開始して製造され、前記エッジ（７、７’）または前記シール（９）の閉鎖部分（７”）は再開封可能であり、最終的に固着されて、反応チャンバ（２）を再チャージする、または熱チャージを長続きさせ、あるいは消費材の熱的状態を維持し、冷却、加熱に適した、あるいは再使用またはリサイクリングに適した、熱的に再チャージ可能な容器を得ることを特徴とする、フレキシブル断熱容器（図４ａ、４ｂ、４ｃ）。
【請求項９】
請求項７に記載の、セルフサービス消費材用の自動加熱または自動冷却内部熱交換を内蔵した、マルチチャンバ型エンベロープまたはバッグ（１’）、または多数のセルを有するマルチセル、またはポケットの形状をしたフレキシブル断熱容器（１）において、前記容器（１）を構成するエンベロープまたはバッグ（１’、２、３、及び４）が、３／４枚の異なるシートから製造されることを特徴とするフレキシブル断熱容器（図５ａ、５ｂ、５ｃ参照）。
【請求項１０】
請求項１に記載の、セルフサービス消費材用の自動加熱または自動冷却内部熱交換を内蔵した、マルチチャンバ型エンベロープまたはバッグ（１’）、または多数のセルを有するマルチセル、またはポケットの形状をしたフレキシブル断熱容器（１）において、折りたたみ部分を設けた伸縮可能な反応チャンバ（２）を形成するチャンバ又はセルが、消費材（６）を保持するエンベロープ（１’）に取り付けられており、反応チャンバ（２）へ反応紛体（４’）を混入するために反応液（３’）を保持するバッグ（３）に、開始用の裂けるエッジ又は中子（５）が設けられており、消費材（６）のエンベロープまたはバッグ（１’）のジオメトリ可変底部に配置されており、前記反応液容器（３）の上に直接作用して、これを破り、次いで化学試薬の混合を生じさせることを特徴とする、フレキシブル断熱容器。（図６ａ、６ｂ、６ｃ）
【請求項１１】
請求項１乃至１０のいずれか１項に記載のフレキシブル断熱容器（１）において、当該容器は、包装及び移送に最も適した形状を取る変形可能なバッグ又はエンベロープの形状であり、例えば、ボトル内での巻き付き／包装を避けて、重量／体積比、適合性、使いやすさを顕著に改良したことを特徴とする、フレキシブル断熱容器。
【請求項１２】
請求項１乃至１１のいずれか１項に記載のフレキシブル断熱容器（１）において、消費者が作成する又は使用する物質とその熱処理（冷却、加熱）が、同時に生じ得、必要があれば、単一の圧力をかけることを特徴とする、フレキシブル断熱容器。
【請求項１３】
請求項１乃至１２のいずれか１項に記載のフレキシブル断熱容器（１）において、前記使用物質を少なくとも標準温度（＋１５℃）に対して＋１５℃乃至＋６０℃、及び、標準温度（＋１５℃）に対して−１０℃乃至−３０℃の範囲の、熱ギャップによって加熱または冷却することができることを特徴とする、フレキシブル断熱容器。
【請求項１４】
請求項１に記載のフレキシブル断熱容器（１）において、この圧力に対して所定の抵抗を有する、前記異なる容器又はバッグのシーリング手段、シール、バルブ、メンブレン、壁、が、２方向に回転可能で、スピンドルまたは別の適宜の制御手段を駆動するねじ付プラグ（１１）によって駆動され、様々な反応物質や、消費材を保持するバッグにストレスをかけ、ノズル／バルブをクリアにし、後者を混合させ、前記シーリング手段が破れるようにして、前記チャンバと、前記シーリング手段によって分離されているものとの間を連通させることを特徴とする、フレキシブル断熱容器。
【請求項１５】
請求項１乃至１４のいずれか１項に記載の、セルフサービス消費材用の自動加熱または自動冷却内部熱交換を内蔵した、マルチチャンバ型エンベロープまたはバッグ（１’）、または多数のセルを有するマルチセル、またはポケットの形状をしたフレキシブル断熱容器（１）において、フレキシブル断熱容器（１）において、前記フレキシブル容器（１）が、フレキシブルで、変形可能、ハンディ、ポケットサイズのエンベロープ又はバッグであり、圧力、静止摩擦、又は回転、によって活性化が開始され、熱的に再チャージ可能であり、再使用及びリサイクル可能であることを特徴とする、フレキシブル断熱容器。
【請求項１６】
飲料、液状食品、ソース、クリーム、及びスパイスの持ち運び可能な包装であることを特徴とする、請求項１乃至１５のいずれか１項に記載のエンベロープ又はバッグ（１’）の形状をしたフレキシブル断熱容器（１）の使用のアプリケーション。
【請求項１７】
スポーツ及びフリータイム用のリフレッシュ、エネルギィ投与、引き締め、のどの渇きを癒す飲料及び食品、その他のディスペンサであることを特徴とする、請求項１乃至１５のいずれか１項に記載のエンベロープ又はバッグ（１’）の形状をしたフレキシブル断熱容器（１）の使用のアプリケーション。
【請求項１８】
医薬、薬物、治療薬、投与または使用の前に化学的前処理を必要とする栄養剤、健康サプリメントの投与のための、請求項１乃至１５のいずれか１項に記載のエンベロープ又はバッグ（１’）の形状をしたフレキシブル断熱容器（１）の使用のアプリケーション。
【請求項１９】
化粧品、ボディケア、美容、及び熱処理、その他への、請求項１乃至１５のいずれか１項に記載のエンベロープ又はバッグ（１’）の形状をしたフレキシブル断熱容器（１）の使用のアプリケーション。
【請求項２０】
哺乳瓶、及び子供への栄養補給のディスペンサへの、請求項１乃至１５のいずれか１項に記載のエンベロープ又はバッグ（１’）の形状をしたフレキシブル断熱容器（１）の使用のアプリケーション。
【請求項２１】
のり、シーリング手段、充填剤、塗料、コンパウンド等の持ち運び可能な作業セットへの、請求項１乃至１５のいずれか１項に記載のエンベロープ又はバッグ（１’）の形状をしたフレキシブル断熱容器（１）の使用のアプリケーション。
【請求項２２】
災害介入市民部隊や人道的支援行動、及び軍用設備や軍隊用の医療機器セットへの、請求項１乃至１５のいずれか１項に記載のエンベロープ又はバッグ（１’）の形状をしたフレキシブル断熱容器（１）の使用のアプリケーション。
【発明の詳細な説明】
【技術分野】
【０００１】
本発明は、カスケードマルチポケット式エンベロープまたはバッグ、あるいは、マルチチャンバ又はマルチセル状に内部が形成された内部熱交換を伴う、消費材及び／又は必需品を分けて入れておく（使い捨てディスペンサ）、フレキシブル容器に関する。本発明の主題である、マルチチャンバ型エンベロープ、バッグ、あるいは、多数のセルを有するマルチセル、またはポケットを有するこのフレキシブルな断熱容器は、「バッグ−イン−バッグ−イン−バッグ」の概念に基づくものである。
【背景技術】
【０００２】
本発明の目的は、吸熱または発熱反応を利用して、加熱または冷却する必要がある消費材用のエンベロープ、すなわち容器を提供することである。このような容器を製造する場合の特性は、反応チャンバが消費材中に完全に沈むことであり、化学反応で生じる圧力を制御するバルブが設けられていることである。この反応バッグの中では、「バッグ−イン−バッグ」または「バッグ−イン−バッグ−イン−バッグ」の概念が成立している。
【０００３】
先行するＳａｒｃｉｎｅｌｌａの特許であるＥＰ１８９６３４３号は最新の効果と適用性があるが、コンパクトで、持ち運び可能であり、ポケットサイズで、ハンディかつ人間工学的であるという意味での使用、操作性と実用性、安全性と単純化、内部セルの合理性、製造及び生産プロセスという意味での出来栄えは本発明によって改善される。
【０００４】
使用及び／又は消費材から完全に独立した、検査済みの反応チャンバに組み込まれていることによって、化学反応の吸熱発熱プロセスの安全性に加えてより良好な効率が実現され、熱効率と加熱あるいは冷却の分配と伝達が改善される。
【０００５】
このことは、主に、「バッグ−イン−バッグ」またはカスケード技術による容器の設計と製造の新規かつ革新的な概念からきており、続く「バッグ−イン−バッグ−イン−バッグ」でなくても、必要性を超えている。
【０００６】
先行するＳａｒｃｉｎｅｌｌａの特許であるＥＰ１８９６３４３Ｂ１号は、熱交換を組み込んだフレキシブル容器の分野におけるマイルストーンであり、いまだに実用的な今日の話題である。この特許は、公知の技術のうち最も近い状況を示している。本発明の主題によれば、革新的な進化を示す卓越した改善が行われている。
【０００７】
吸熱−発熱反応が進む間の高圧または変形による不規則な操作による欠点は、適宜の安全装置によって、また、試薬と反応液との間の化学反応の活性化、同様に、容器間スペースと内部組み込み式エンベロープの合理化と安全性、同様に、人間工学的操作性と可搬性、同様に、生産及び組立プロセスの改良によって防止される。
【０００８】
本発明の主題である、マルチチャンバ型フレキシブル断熱容器は、上述の従来の特許とは異なり、からくり箱における「バッグ−イン−バッグ−イン−バッグ」または、「マトリョーシカ」（ロシアの人形）の形状の概念から開発考案された。
【０００９】
プラスチックや、合成材料、あるいは金属シートでできており、消費食材、飲料、食器用液体洗剤、栄養剤、化粧品、医薬品、投与薬剤等のための自動加熱または自動冷却熱交換を内部に有するフレキシブル容器としてのこのようなパッキング形式は、マルチチャンバの内部に、各々が所定の役割を有する複数のエンベロープまたはバッグを具え、これらのうちの１つが、マイクロ穿孔した反応バッグである。
【００１０】
より詳しくは、本発明は、マルチチャンバ型エンベロープ、またはバッグ、または多数のセルを有するマルチセル、またはポケットといった形状の、セルフサービス製品を作成するための自動加熱または自動冷却内部熱交換を内蔵した、フレキシブル断熱容器に関するものであり、試薬と化学反応剤を保持する手段と、この保持手段を目盛付抵抗で密封する分離手段と、作成と使用のために化学反応剤を製品から分離する手段または調整板を具える容器であって、内側に設けた反応ポケットまたはチャンバであり、制御されたブレークダウンを有するシール壁によって変形可能な、反応液を保持する第１の標準コンテナまたはエンベロープまたはバッグと、発熱吸熱反応化学物質を保持して反応液と好適に接触するようにした第２のコンテナまたはエンベロープまたはバッグを具え、密封した反応チャンバが、コンテナの消費材を保持するエンベロープ内に配置されている。
【００１１】
マルチチャンバ型エンベロープ、またはバッグ、または多数のセルを有するマルチセル、またはポケットといった形状のフレキシブル断熱容器は、また、発熱吸熱反応化学物質を保持する第２のコンテナまたはエンベロープが、微小穿孔あるいは反応液を透過する、あるいは流体が流れる材料でできた反応バッグであることを特徴とする。
【００１２】
このマルチチャンバ型エンベロープ、またはバッグ、または多数のセルを有するマルチセル、またはポケットといった形状のフレキシブル断熱容器は、また、反応液のコンテナまたはエンベロープが化学物質を保持しているコンテナまたはバッグの内側にあることを特徴とする。
【００１３】
このマルチチャンバ型エンベロープ、またはバッグ、または多数のセルを有するマルチセル、またはポケットといった形状のフレキシブル断熱容器にはまた、安全装置または手段または部材を設けることができる、反応チャンバがあってもよい。
【００１４】
本発明のマルチチャンバ型エンベロープ、またはバッグマルチチャンバ、または複数のセルを有するマルチセル、またはポケットといった形状のフレキシブル断熱容器の更なる変形例は、反応チャンバが送達用注ぎ口ノズル上にかかるブリッジであることを特徴とする。
【００１５】
マルチチャンバ型エンベロープ、またはバッグ、または多数のセルを有するマルチセル、またはポケットといった形状のフレキシブル断熱容器（バッグ−イン−バッグ−イン−バッグ）であり、本発明の主題であるセルフサービス製品を作るための内蔵式自動加熱または自動冷却内部熱交換を有する容器の別の実施例は、ポケットまたはサック、または、反応容器が消費材を保持している特定の形状のエンベロープでできたポケット内に反応チャンバが挿入されており、このポケットが前記バッグまたはエンベロープの側壁の端部に正確に連結されており、サックまたはポケットを形成し、とりわけこのエッジの密封シールした連結部分に前記反応チャンバを位置させてここに保持し、反応液を保持しているバッグを破ることによって生じる圧力を介して、試薬を保持しているコンテナまたはバッグの外または内で反応の活性化が生じることである。
【００１６】
本発明の主題である、マルチチャンバ型エンベロープ、またはバッグ、または多数のセルを有するマルチセル、またはポケットといった形状のフレキシブル断熱容器の別の実施例では、外側バッグが単一のシートでできており、エッジの閉鎖あるいはシーリングが再開封可能であり、一方で最終的に固定して、断熱状態（冷却、加熱）あるいは消費材を長く続けて維持する、再チャージを利用するのに適した（反応チャンバ）、または、再使用あるいはリサイクルに適した、熱再チャージ可能な容器を提供する。
【００１７】
マルチチャンバ型エンベロープ、またはバッグ、またはマルチセル、または多数のセルを有するマルチセル、またはポケットといった形状のフレキシブル断熱容器（バッグ−イン−バッグ−イン−バッグ）であって、セルフサービス消費材を作成するための内蔵式自動加熱または自動冷蔵内部熱交換を有するものは、その加工工程において一枚のシートから作ることができる。これは、好ましくは非食品または非飲料製品用である。
【００１８】
マルチチャンバ型エンベロープ、またはバッグ、またはマルチセル、または多数のセルを有するマルチセル、またはポケットといった形状のフレキシブル断熱容器（バッグ−イン−バッグ−イン−バッグ）であって、セルフサービス消費材を作成するための内蔵式自動加熱または自動冷蔵内部熱交換がついているものの別の変形例では、３または４枚の別体のシートから継続的に開始して、その生産ラインでこれを組み合わせたエンベロープまたはバッグで作ることができる。これは、好ましくは、食品または飲料品用である。
【００１９】
マルチチャンバ型エンベロープ、またはバッグ、またはマルチセル、または多数のセルを有するマルチセル、またはポケットといった形状のフレキシブル断熱容器（バッグ−イン−バッグ−イン−バッグの概念）であって、セルフサービス消費材を作成するための内蔵式自動加熱または自動冷蔵内部熱交換を有するものの別の実施例では、チャンバまたは伸長可能な折りたたみ部分を有する反応チャンバを構成するセルが、消費材を保持しているエンベロープに取り付けられており、反応チャンバ内で反応粒状物を混合するために反応液を保持しているバッグに、活性化用の裂け目エッジまたは中子が設けられており、エンベロープの底に配置され、エンベロープが破れて化学物質を混合して、反応液容器上で直接的に反応する。
【００２０】
本発明の主題であるフレキシブル断熱容器は、さらに、パッキングと移動に最も適した形状を取る変形可能なザックまたはエンベロープの形状として、例えば、ボトル内での巻き付き／包装を防ぎ、重量／体積比、適合性、扱いやすさが著く改善される。
【００２１】
同様に、消費者は物質の作成または使用と、その熱処理（冷却、加熱）を同時に行うことができ、必要であれば、単一の圧力をかけることができるという特徴がある。
【００２２】
さらに、本発明の一部であるフレキシブル断熱容器では、使用物質を、少なくとも標準温度（＋１５℃）に対して＋１５℃乃至＋６０℃、及び、標準温度（＋１５℃）に対して−１０℃乃至−３０℃の範囲の、熱ギャップによって加熱または冷却することができる。
【００２３】
本発明の主題であるフレキシブル断熱容器を実施するいくつかの方法は、さらに、それぞれの容器またはバッグの、シール、バルブ、メンブレン、壁など、圧力に対して所定の抵抗値を有するシーリング手段が設けられている。この手段は、二方向に回転可能なスピンドルまたは別の適宜の制御手段を駆動するねじ式プラグで駆動され、様々な反応物質及び消費材を保持するバッグにストレスをかけ、そのノズル／バルブをあけて、物質を混合する。上述のシーリング手段を破ることで、その時までシーリング手段で分離されていたチャンバ間を連通させることができるためである。
【００２４】
本発明によって、マルチチャンバ型エンベロープ、またはバッグ、または多数のセルを有するマルチセル、またはポケットといった形状のフレキシブル断熱容器であって、セルフサービス消費材を作成するための内蔵式自動加熱または自動冷蔵内部熱交換を有するものであり、フレキシブルで、変形可能、ハンディ、ポケットサイズのエンベロープ又はバッグといった形状であり、圧縮または静止摩擦または回転によって活性化でき、熱的に再チャージ可能であり、再使用可能であり、リサイクル可能である。
【００２５】
上述した本発明の容器は、飲料、液状食品、ソース、クリーム、スパイスの可搬包装；医薬、薬物、治療薬、投与または使用の前に化学的前処理を必要とする栄養剤、健康サプリメントの投与；スポーツ及びフリータイム用のリフレッシュ、エネルギィ投与、引き締め、のどの渇きを癒す飲料及び食品等；化粧品、ボディケア商品、美容及び熱治療用のアプリケーション；哺乳瓶と子供に栄養を与えるディスペンサへのアプリケーション；糊付け、シーリング手段、充填剤、塗料、コンパウンド等の持ち運び可能な作業セットへのアプリケーション；災害介入市民部隊や人道的支援行動、及び軍用設備や軍隊用の医療機器セットへのアプリケーション；など、多くの適用及び利用に適している。
【図面の簡単な説明】
【００２６】
本発明の主題を実施する好ましい方法の詳細を以下に説明する。ここでは、発明の一般性を奪うことなく、図面を参照して本発明の例を説明する。
【図１】図１は、本発明の容器の好ましい実施例を断面で示す図であり、ここでは、反応液と化学反応製品を入れたバッグが分離されて、反応チャンバの中に保持されている。図１ａは、図１に示す容器の実施例を示す図であり、３つのバッグが順次挿入されている（概念：バッグ−イン−バッグ−イン−バッグ−イン．．．）。ここでは、化学反応製品が反応チャンバに直接保持されており、安全バルブが設けられている。
【図２】図２は、バッグ−イン−バッグ−イン−バッグの概念を示す図であり、ここでは反応液が化学反応製品のバッグの中に保持されており、化学反応物質は、消費材のバッグの保持されている反応チャンバ内に保持されている。図２ａは、上記概念を実施する方法を示す図であり、ここでは、化学試薬が反応チャンバに直接配置されており、拡張チャンバと、過圧力放出ダクトが設けられている。
【図３】図３は、実施例の変形例を示す図であり、ここでは、反応バッグまたはチャンバが、圧力で開封可能な注入口に固定されたブリッジから懸垂している。
【図４】図４ａ、図４ｂ、図４ｃは、単体シートを張り付けて作った内側バッグを有するエンベロープ状容器を実施する特定の方法を示す。様々な変形例では、この容器は外側に設けた反応チャンバと連通する必要がある場合に消費材と完全に分離されている。
【図５】図５ａ、図５ｂ、図５ｃは、本発明の主題である容器を実施する方法を示す図であり、食品用に３枚のシートで作った再チャージ可能な反応チャンバを有し、微小穿孔したバッグが、液体食または飲料に接触しないようにしている。
【図６】図６ａ、図６ｂ、図６ｃは、裂ける中子を介して保温開始するデバイスを有し、反応溶液を保持しているチャンバを破る完全にフレキシブルなバッグを有する本発明の容器を示す図である。反応チャンバの内側には、伸長可能な折りたたみ部材が設けられている。
【００２７】
この発想の原理は、吸熱または発熱反応を利用して、加熱するまたは冷却する消費材用の容器であるエンベロープを得ることである。この発想の特性は、反応チャンバが完全に消費材の中に埋め込まれており、化学反応で生じる圧力を制御するバルブを具えていることであり、反応バッグの内部が「バッグ−イン−バッグ」または「バッグ−イン−バッグ−イン−バッグ」となっていることである。
【００２８】
図１に示す第１の好ましい実施例では、反応バッグまたは反応チャンバ２が、消費材６を保持するエンベロープに挿入されて、接着されている。最初に、やはり反応チャンバ２の内部に配置した反応液３’のエンベロープ３に圧力をかける。この操作によって、反応液３’を保持している内側バッグ３が破れ、バッグ４の反応粒体４’と混合される。バッグ４は、微小穿孔４”であってもよく、反応チャンバ２で発熱−吸熱反応を生じさせる。反応チャンバ２で過圧力蒸気が発生すると、この圧力がバルブ１０を開放し、消費材６を保持しているバッグ１’を爆発させることなく蒸気またはガスが出てくる。
【００２９】
フレキシブルバッグ容器１の構成：
消費材バッグ  １’
消費材  ６
反応チャンバ  ２
反応液を保持するバッグ  ３
反応液  ３’
化学物質を保持するバッグ  ４、微小穿孔４”
化学物質  ４’
安全バルブ  １０
バッグをあけるスプラウトまたは破るゾーンまたは出力ホール  １１
図１参照
【００３０】
安全バルブ付フレキシブルバッグ（図１ａ）の上述した実施例の変形例は、吸熱または発熱反応を利用して、加熱するまたは冷却する消費材６用の容器であるエンベロープ１を得るという原理に基づいている。この原理の特異性は、反応チャンバが完全に消費材６の中に埋め込まれており、化学反応で生じる圧力を制御するバルブ１０を具えていることである。
【００３１】
フレキシブルバッグ容器１の構成：
消費材バッグ  １’
消費材  ６
反応チャンバ  ２
反応液を保持するバッグ  ３
反応液  ３’
化学物質を保持するバッグ  ２、４
化学物質  ４’
安全バルブ  １０
バッグをあけるスプラウトまたは破るゾーンまたは出力ホール  １１
【００３２】
フレキシブル容器１は、３つのバッグで構成されており、重ねて挿入されている。反応液３を保持しているバッグが、反応チャンバ２に挿入されており、この反応チャンバはここでは、化学物質４’の容器４としても作用する。
【００３３】
反応チャンババッグ２の底に、安全バルブ１０が適用あるいは押圧される。また、反応チャンババッグ２は、消費材６を入れるバッグ１’に挿入され、接着される。
【００３４】
反応液３’を入れたバッグ３に圧力をかけると、バッグ３が破れて、反応チャンバ２、４内部の化学物質４’と混ざり、吸熱反応や発熱反応が生じる。反応チャンバ内部の圧力が過剰である場合、安全バルブ１０によって、消費材バッグ１’の容器１の外に圧力が開封される。図１ａ参照。
【００３５】
別の実施例が図２に示されており、鎖状「バッグ−イン−バッグ」の概念が実現されている。ここでは、反応液３’を入れたバッグ３が、反応物４’を入れたバッグ４の中に入っており、さらに、加熱または冷却する消費材中に完全に沈んだ反応チャンバ２の中に含有されている。これには、化学反応で生じた過剰圧力を制御するバルブ１０が設けられている。
【００３６】
更なる安全性と効率を上げるために、化学物質を入れたバッグ４は、微小穿孔４”されている。
【００３７】
フレキシブルバッグ容器１の構成：
消費材バッグ  １’
消費材  ６
反応チャンバ  ２
反応液を保持するバッグ  ３
反応液  ３’
化学物質を保持するバッグ  ４、微小穿孔  ４”
化学物質  ４’
安全バルブ  １０
バッグをあけるスプラウトまたは破るゾーンまたは出力ホール  １１
【００３８】
特に、この実施例では、フレキシブル容器１が、３つのバッグ３、４，２で構成されており、各バッグが１つの内側にもう１つというように挿入されている。反応液３’を保持するバッグ３は、化学物質４’を保持している反応チャンババッグ４の中に挿入されており、さらに、反応バッグ２の中に保持されている。この反応バッグは、消費材６のバッグ１’に完全に沈んでいる。化学反応によって生じた圧力を制御するバルブ１０で、フレキシブル容器１を完成する。図２参照。
【００３９】
上述の実施例の変形例は、安全バルブ１５と、スプラウト１１の上に吊るされた過圧ダクト１３、１４を有する拡張チャンバ１６を有するフレキシブル容器１を具える。図２ａ参照。
【００４０】
本発明のフレキシブル容器１は、安全なデバイスであり、弱くなった接着部分１５、伸長チャンバ１６、過圧ダクト１２、１３を示しており、消費材６のバッグ１’に完全に沈んだ反応チャンバ２の内部で生じる化学反応で生じる過圧を制御している。これは、順次中に入っている３つのバッグで構成されている。反応液３’の入ったバッグ３が、この変形例でも化学物質４’を保持している反応バッグ４に挿入されている。反応チャンババッグ２は、弱くなった接着部分１５を示しており、過圧が生じるとこの部分が壊れて、反応チャンバ２を拡張チャンバ１６に連通させる。拡張チャンバ１６が過圧を十分に保持しない場合は、容器１の消費材６を保持しているバッグ１’の外に、スプラウト１１の過圧ダクト１３、１４を介して、圧力を放出する。
【００４１】
反応液を保持しているバッグ３に圧力をかけることで、バッグ３を破り、反応チャンバ２内部で化学物質を混合して、吸熱反応と発熱反応が生じる。
【００４２】
フレキシブルバッグ容器１の構成：
消費材バッグ  １’
消費材  ６
反応チャンバ  ２
反応液を保持するバッグ  ３
反応液  ３’
化学物質を保持するバッグ  ２（反応チャンバ）
化学物質  ４’
弱くなった接着部分  １５
拡張チャンバまたは安全ゾーン  １６
バッグをあけるスプラウトまたは破るゾーンまたは出力ホール  １１
過圧ダクト  １３、１４
図２ａ参照。
【００４３】
圧力を制御する安全システムについて：
スプラウトプラグ１１は、液体または固体製品を保持するのに適した更なるチャンバをひっかけるまたは連結する熱エレメントを支持するゾーンを具える。支持プラグの底には、安全ホール１３、１４が設けられており、更なる内部チャンバをパッキングの外側に連通させている。過圧が安全ホールを通って、出口に流れ放出される。高圧蒸気の場合、安全ホールに冷却ゾーンを設けるようにしてもよい。
【００４４】
図３に示す別の実施例では、スプラウト１１の設計の変形例が提供され、過圧バルブ１０を有する反応チャンババッグ２が設けられるところにブリッジ１６が加わっている。次いで、この全体を、消費材６を保持しているエンベロープ１’に挿入する。反応バッグ２を挿入して、消費材６を保持しているエンベロープ１’に接着することができる。
【００４５】
フレキシブルバッグ容器１の構成：
ブリッジ  １２
消費材バッグ  １’
消費材  ６
反応チャンバ  ２
安全バルブ  １０
バッグをあけるスプラウトまたは破るゾーンまたは出力ホール  １１
図３参照。
【００４６】
本発明の主題の別の実施例（図４ａ、４ｂ、４ｃ）は、内部ポケット８が付いた消費材６のエンベロープ１’を有するバッグフレキシブル容器１を提供する。この変形例の特異性は、消費材のエンベロープ１’が単一の二重層シートでできていることである。
【００４７】
この発想の原理は、消費材から完全に分離された内部サックを有する液体または固体を保持するのに適したエンベロープを得ることであり、必要があれば、外部と連通する。この発想の特性は、消費材６のエンベロープ１’が、エッジ１”、１”’で折りたたまれて、エッジ１”、１”’の端部７、７’のシールポイント７”を用いてポケットまたはサック８を形成している単一の二重層シートでできていることである。
【００４８】
まず、プラスチック材のバッグから開始する。これは、単層特性を有する外側バッグ１’であり、折りたたみシステムとともに、ポケット８を形成し、例えば、吸熱または発熱反応用バッグ（エレメントを挿入した反応チャンバ２）として、様々な材料を入れる。反応バッグ２は、エッジ１”、１’”を、消費材６を入れているエンベロープ１’の内側に折りたたむことで作った特別なポケット８の中に挿入する。外側バッグ１’で形成したポケット８は、さらに、固定ポイント７”、あるいはメモリ付折りたたみポイントによってシールすることができる、あるいはシーリングポイント７、７’上の一時的に再開封可能なポイント９を有していてもよい。
【００４９】
上述の実施例のように、反応液３’のバッグ３と化学反応物質４’のバッグ４を保持するバッグまたは反応チャンバ２が、消費材６を保持するエンベロープ１’内部の専用ポケット８内に配置されている。圧力によって反応が開始し、上述の変形例と同様の方法で、反応液３’を保持するバッグ３を破る。シールまたは栓７”、９も目盛を付けて、過圧が生じた場合に開放または折りたたむようにしてもよい。さらに、ポケット８は、新しい反応チャージまたは加熱あるいは冷却熱チャージを受けて、消費材の温度を維持する、あるいは更なる使用に備えることができる。図４ａ、４ｂは、内部に反応液３’のバッグ３を有し、化学反応物質４’を保持する反応チャンバ２を具えるこの変形例の容器を示しており、図４ｃは、大容量のふくらみのある変形例の消費材６を保持するバッグ１’と、それぞれ反応液３’と化学反応物質４’を保持する別々のバッグ３、４を有する反応チャンバを示す。
【００５０】
内部ポケット付のフレキシブルバッグ容器１の構成：
バッグをあけるスプラウトまたは破るゾーンまたは出力ホール  １１
消費材エンベロープ  １’
消費材  ６
挿入エレメント（反応チャンバ）  ２
反応液３’を保持するエンベロープ  ３
化学反応物質４’を保持するエンベロープ  ４
湾１”、１’”を形成する水平方向エッジ、折りたたみ
シーリング端部エッジ  ７、７’
シーリングポイント  ７”
シール  ９
バッグまたは湾またはポケット消費材エンベロープ  ８
図４ａ、４ｂ、４ｃ参照。
【００５１】
本発明のフレキシブル断熱容器の更なる変形例は、図５ａ、５ｂ、及び５ｃに示されている。このような特定の実施例では、上述の実施例と同様に、内部ポケット８が設けられているという特徴がある。
【００５２】
しかしながら、本例は、３層のプラスチックシートであり、単層シートではなく３つの個別シートから製造する。１つは、消費材６用のバッグ１’によって形成され、曲げてできたエッジ７、７’を介して、折り曲げてポケット８を作る。反応液３’のバッグ３は、化学試薬４’のバッグ４と同様に、別のシートでできており、ポケット８の中に分離して挿入されており、反応チャンバとして作用する。図５ａ、５ｂ参照。または、弱くなった接着部分を有する独立した反応チャンバ２の中に挿入して、図５ｃに示すように、ポケットまたはバッグ８の中に導入する。両ケースともに、固定したあるいはつぶすことができる開封可能なシール７”、９が、ポケット８を閉じて、反応チャンバ２を形成するあるいは閉じる。
【００５３】
内部ポケットを有するバッグフレキシブル容器１の構成：
バッグをあけるスプラウトまたは破るゾーンまたは液体の出力ホール  １１
消費材エンベロープ  １’水平方向エッジ１”、１”’付
消費材  ６
挿入エレメント（反応チャンバ）  ２
反応液３’を保持するエンベロープ  ３
化学反応物質４’を保持するエンベロープ  ４
湾１”、１’”を形成する水平方向エッジ、折りたたみ
シーリング端部エッジ  ７、７’
シーリングポイント  ７”
シール  ９
消費材エンベロープでできた湾またはバッグまたはポケット  ８
図５ａ、５ｂ、５ｃ参照。
【００５４】
本発明のフレキシブル容器の更なる変形例は、破って開口する「バッグ−イン−バッグ」の概念のバッグ容器に関する。図６ａ、６ｂ、６ｃ参照。
【００５５】
この発想の原理は、静止摩擦開口システムを有する完全にフレキシブルなバッグを有することである。
【００５６】
液体３’を保持するプラスチック材でできた反応液チャンバ３であるバッグ３が提供されており、このバッグは、化学反応に使用される。このバッグは、別のバッグである反応チャンバ２の中に挿入される。チャンバ２は、化学反応物質４’を保持するチャンバ４としても作用し、すでに化学反応用の化学物質４’を内部に保持している。反応チャンバ２は、湾曲部を有し、伸縮可能である。一方、反応チャンバ２は、液体または固体を保持するのに適した外側バッグ１’内に挿入され固定される。反応バッグ２、４は、消費材６を保持するエンベロープ１’に接着される。
【００５７】
引張部分５の静止摩擦が、反応液３’のチャンバ３に直接かかり、チャンバが破れて化学試薬４’と混合する。活性化により、エンベロープの底にある引張部分５が引っ張られる。この動作で、反応液３’を保持している内部バッグ３が破れ、反応チャンバ２中で反応粒体４’と混合する。
【００５８】
破いて開口するバッグ容器の構成：
湾曲部を有する伸縮可能な反応チャンバ  ２
破れる反応液チャンバ  ３
チャンバ２の湾曲  
変形可能な底部を有する消費材エンベロープ１’である外側バッグ
反応チャンバ  ２、４
反応液３’を保持するチャンバ  ３
化学反応物質４’を保持するチャンバ  ４
消費材エンベロープ１’である外側バッグ
反応液チャンバを破るエッジまたは中子  ５
消費材  ６
液体の出力ホール  １１
図６ａ、６ｂ、６ｃ参照。
【００５９】
主題である容器の熱で開口するデバイスについて、スプラウト上のキャップで開始する活性化を行う好ましい形式について以下に述べる。この発想の原理は、液体または固体製品を保持するのに適したチャンバ、バッグと連通するのに静止摩擦または圧縮によって破るためにキャップまたはバルブの圧縮を使用することに基づく。
【００６０】
スプラウト上のキャップによる活性化は、図に示していない。
【００６１】
この原理は、液体または固体製品を保持するのに適したチャンバ、バッグと連通するのに静止摩擦または圧縮によって破るためにキャップまたはバルブの圧縮を使用することに基づく。
【００６２】
この例は、全体で３つの主エレメントを具える：
シーリングキャップ
支持構造
引張あるいは圧縮構造
【００６３】
引張構造は、支持構造に挿入され、ねじ山を設けた開口を介してシーリングキャップにねじ込まれる。シーリングキャップは、引張ねじを介して支持構造に固定される。
【００６４】
シーリングキャップを反時計方向に回して、ねじを開ける。
【００６５】
この操作により、引張構造が引張ねじを用いてシーリングキャップの内側に移動し、引張構造を上げたり、下げたりする。
【００６６】
引張構造の移動を用いて、バルブ、メンブレン、バッグなどによって分離されているポイントまで、静止摩擦または圧縮によってチャンバを連通させる。
【００６７】
このシステムは、内部圧力の制御を伴うスプラウトを具えていてもよい。
【００６８】
操作：
１． シールと安全クリップを外す。
２． キャップを特定のねじを用いて特定の方向（時計回りまたは反時計回り）に回し、プロジェクトに従って引張エレメントを上下させる。
３． 上記の方向と反対の方向にキャップを回転させて、このキャップが引張エレメントを開放し、支持体から離して、出力ノズルをクリーンにする。この構造に対して、発熱及び吸熱反応を行う化学物質を保持するバッグを適用する。
このエレメントを、次いで、消費材を保持しているエンベロープに挿入する。
【００６９】
炭酸飲料用スプラウト
ガス入り飲料または液体のフレキシブルパッキングからのガス漏れの問題、並びに主パッキング内部のチャンバ内で生じた蒸気またはガスの漏れの問題を解決しようとしている。
全体は、２つの主エレメントを具える。
１． モバイルキャップ
２． キャップサポート
【００７０】
消費材によってできたガスを放出する手順：
安全シールを取り外したのち、モバイルキャップを時計方向または反時計方向に回す必要がある。
この操作で、ガスの出力ホールをガス及び液体の保存ゾーンへ連通させ、パッキング内に保持されているガスを開放する。
モバイルキャップの回転速度は、ガスの放出速度を設定する。
液体の出力ホールをクリアにしたのち、モバイルキャップをキャップのサポートの方向に押す必要がある。
この操作を逆に繰り返すと、本システムが再度シールされる。
【００７１】
マルチチャンバ型エンベロープ、またはバッグ、または多数のセルを有するマルチセル、またはポケットといった形状のフレキシブル断熱容器１’は、からくり箱またはマトリョーシカ（ロシア人形）のような「バッグ−イン−バッグ（バッグ−イン−バッグ−イン−バッグ）」の概念を実現する。セルフサービス消費材用の内蔵式自動加熱または自動冷却内部熱交換を行い、本質的に、第１の密封した変形可能な容器またはエンベロープ３、シーリング壁、反応液３’を保持する制御された崩壊部、及び反応液３’と接触する適宜のタイプの発熱−吸熱化学反応物質４’を保持する第２の容器またはエンベロープ４を内部に設けた、反応湾またはチャンバ２を具え、密封した反応容器２は、容器１の消費材を保持するエンベロープ１’内に配置されている。
【００７２】
図１の実施例を参照すると、反応液３’を保持しているエンベロープまたはバッグ３と化学反応物質４’を保持しているバッグ４は、反応チャンバ２内に別々に配置されており、図１ａを参照すると、化学反応物質が反応チャンバ内部に直接的に保持されており、図２の実施例を参照すると、逆に、反応液３’のエンベロープ３が反応物質のエンベロープ４内に保持されており、図２ａの実施例を参照すると、反応チャンバが化学反応物質４’のサポートとして直接作用する。
【００７３】
試薬３と化学反応物質４を保持するバッグが、メモリ付抵抗を有する分離版または密封手段とともに設けられており、これらは所定のストレスまたは動作のもとでのみ接触する。消費材６を作成する内容物を保持しているバッグ１’のエンベロープにも同じことが言え、反応物質の分離版と消費材を作成するものは、個別になっており、相互に接触しないように分離されている。
【００７４】
吸熱−発熱化学反応の効率と安全性を上げるために、化学反応物質４’を保持するバッグ４は微小穿孔タイプ４”とした。図１、２参照。
【００７５】
同様に、本発明では、図１、１ａ、２の実施例では、安全バルブ１０を有する反応チャンバが用いられており、図２ａの実施例では、分離板１５を有する過圧拡張チャンバ１６、弱くなった接着部分、メモリ付破壊部分、及び過圧ダクト１３、１４が用いられている。
【００７６】
別の実施例では、反応チャンバ２を実施する方法において、消費材６の送達スプラウト１１にブリッジをかけ、コンテナ１のエンベロープ１’に挿入して沈めたものが図３に示されている。別の実施例では、フレキシブル断熱容器の消費材６を保持している内側ポケットを有するバッグである容器１のエンベロープ１’が、２つの終端エッジまたは端部７、７’を示しており、一方は、エンベロープまたはバッグ１’の側壁または側部１”、１”’用であり、互いに連結してバッグまたはポケット８を作り、反応チャンバ２を収容できるようにしている。反応バッグ２は、「バッグ−イン−バッグ」タイプであってもよく、反応液３’のバッグまたはエンベロープ３が、反応物質４’の容器内部に配置されており、この容器は、個別のバッグ４であってもよく、あるいは反応チャンバ２自体であってもよい。図４ａ、４ｂを参照。さもなければ、試薬、液体及び化学物質を入れた２つのバッグ３と４は個別であってもよく、反応チャンバ２の内部で分離されていてもよい。図４ｃ参照。
【００７７】
反応チャンバ２を閉じるには、通常接着によりジョイント７’でエッジを連結する。なお、メモリがついていてもよい。図４ａ、４ｂを参照。あるいは、シール９を介して連結してもよい。ここでも、メモリを付けてもよい。図４ｃ参照。
【００７８】
プラスチック材でできたバッグが提供されている。この外側バッグ１’は、単層の特性を有し、この湾曲システムによって、様々な材料を保持するのに適したポケット８を作る。例えば、吸熱または発熱反応用のバッグ（反応チャンバ２の挿入エレメント）または熱再チャージ用のバッグである。
【００７９】
外側バッグ１’のポケット８は、シーリングポイント７”、９で固定あるいは再開封可能に密封できる。図４ａ、４ｂ、４ｃ参照。
【００８０】
試薬４’の容器またはバッグ４の内側または外側で反応水３’を保持しているバッグ容器３を破ることによって圧縮応力を介して反応が開始する。図４ａ、４ｂ、４ｃ参照。
【００８１】
この発想の原理は、液体または固体を保持するのに適しており、消費材から完全に分離した内部ポケットを有し、必要があれば外部と連通するエンベロープを得ることである。
【００８２】
上述した実施例と同じ方法を、容器１が飲料または食料を保持することを意図している場合に適用することができる。この方法は、単一のマルチ層シートにかえて、３枚のシートから製造する。中央のシートは折り曲げられ、薬剤、化粧品、その他により適している上述のシートは、単一のシートから製造する。図５ａ、５ｂ、５ｃ参照。
【００８３】
３枚のシートで製造された３つのバッグでできた製品であり、一のバッグを別のバッグに挿入する。反応液３’を保持するバッグ３を、化学試薬４’を保持する反応チャンババッグ２に挿入する。
【００８４】
食品の場合に安全性をより高めるために、微小穿孔バッグを使用して、化学反応生成物が液状食品または飲料に接触しないようにする。
【００８５】
これらの最後の２つの実施例では、熱交換を再生または維持するために、再チャージ可能なチャンバを有するコンテナが提供されている。さらに、エッジのシーリング７”、９は、最終的なものでも、再開口可能なものでもよい。これによって、再チャージ（反応チャンバ）を使用できる。
【００８６】
エッジのシーリング７”と９は、最終的なものであってもよく、再開口可能なものでもよく、これによって、再チャージ（反応チャンバ）を使用可能となる。熱的に再チャージ可能な使用に適した再チャージ（反応チャンバ）を得ることで、消費材６の熱的状態（冷却、加熱）を長続きさせる、または再使用、リサイクルを可能とする。
【００８７】
「バッグ−イン−バッグ−イン−バッグ」の概念に基づいた、マルチチャンバ型エンベロープ、またはバッグ、または多数のセルを有するマルチセル、またはポケットといった形状のフレキシブル断熱容器１のその他の好ましい実施例の最後は、セルフサービス消費材用の内蔵式自動加熱または自動冷却内部熱交換を具えており、反応チャンバ２を形成しているチャンバまたはセルは、消費材６を保持しているエンベロープまたはバッグ１’に連結されており、反応チャンバ２は、同じ反応チャンバ２内で反応粒体４’と混合される反応液３’を保持するバッグ３を保持しており、エンベロープ１’の底に配置された破るエッジまたは中子５が設けられて、反応液のバッグに連結され、破るようにしている。図６ａ、６ｂ、６ｃ参照。
【００８８】
化学反応に使用される液体３’を保持するプラスチック材料のバッグ３が提供されている。これは、反応液体チャンバであり、反応用の化学物質４’を内部に保持する反応チャンバ２を形成する別のバッグに挿入される。反応チャンバ２は、いくつかの湾曲部分を示しており、バッグ１’の底部は、ある角度をなしている２つの壁で形成されている。静止状態の時にへこんでおり、作動時に膨らんで、伸縮するようになっている。
【００８９】
反応チャンバ２は、外部バッグ１’に挿入され固定されており、液体または固体を保持するのに適している。
【００９０】
裂ける中子５を引っ張ることで、反応液体チャンバ３に直接静止摩擦が生じてこれを破り、化学試薬を反応チャンバ２に混合させる。図６ａ、６ｂ、６ｃ参照。
【００９１】
本発明の主題である容器は、フレキシブルなエンベロープまたはバッグの形状であり、変形可能、持ち運び可能、ポケットサイズ、ハンディで、圧縮、静止摩擦、または回転させることによって動作状態となる。このフレキシビリティにより、変形可能であり、パッキングと搬送に最も適した形状を取ることができ、例えば、ボトル内での巻き付き／包装を防ぎ、重量／体積比、適合性、使いやすさを非常によくする。使用物質の作成に入ると、熱処理（冷却、加熱）が同時に生じ、必要があれば、単一の圧力をかける。
【００９２】
このような使用物質または消費材６を、少なくとも標準温度（＋１５℃）に対して＋１５℃乃至＋６０℃、及び、標準温度（＋１５℃）に対して−１０℃乃至−３０℃の範囲の、熱ギャップによって加熱または冷却することができる。
【００９３】
本発明の容器は、飲料、液状食品、ソース、クリーム、及びスパイスの持ち運び可能な包装用のアプリケーション及び使用に供することができ、同様に、スポーツや自由時間用の、リフレッシュ、エネルギィ投与、引き締め、のどの渇きを癒す飲料及び食品、その他のディスペンサまたはアドミニストレータのアプリケーションおよび使用に供することができる。
【００９４】
同様に、投与または使用の前に化学的な前処理を必要とする、薬剤、医薬、治療薬、健康維持のための栄養補助食品用；スポーツ及びフリータイム用のリフレッシュ、エネルギィ投与、引き締め、のどの渇きを癒す飲料及び食品、その他のディスペンサまたは投与用；化粧品、ボディケア消費、美容と熱処理、その他のアプリケーション用；といったもののすぐに使える包装用の特定の使用に供することができる。
【００９５】
哺乳瓶や、子供の栄養食品のディスペンサとしての使用に非常に適している。
【００９６】
同様に、エンベロープまたはバッグの形状をしたフレキシブル断熱容器の特定の使用及びアプリケーションは、職人及び日曜大工用ののり、シーリング手段、充填剤、塗料、コンパウンド、などの持ち運び可能な作業セットである。
【００９７】
さらに、本発明は、災害介入市民部隊や人道的支援行動、及び軍用設備や軍隊用の医療機器セットへの使用及びアプリケーションにおいて非常に重要な役割を果たしている。
【００９８】
本発明の主題は、飲料市場において革新的なものであると考える。特に、この扱いやすさは、製造における技術的工業的革新を超えるものであり、その他の分野における近年の技術の発達で生じたものと同様に、消費者と社会的関連の分野において著しい意味を持つ。
【図１】
2013540662.tif 000003
【図１ａ】
2013540662.tif 000004
【図２】
2013540662.tif 000005
【図２ａ】
2013540662.tif 000006
【図３】
2013540662.tif 000007
【図４ａ】
2013540662.tif 000008
【図４ｂ】
2013540662.tif 000009
【図４ｃ】
2013540662.tif 000010
【図５ａ】
2013540662.tif 000011
【図５ｂ】
2013540662.tif 000012
【図５ｃ】
2013540662.tif 000013
【図６ａ】
2013540662.tif 000014
【図６ｂ】
2013540662.tif 000015
【図６ｃ】
2013540662.tif 000016
【国際調査報告】
2013540662.tif 000017
2013540662.tif 000018
2013540662.tif 000019